(57)【要約】【課題】頭髪にウェーブ、カール等を形成する場合に、頭髪の長さや量に関係なく極めて簡便に、使用者の好みの大きさで巻くことが出来るカーラーを提供する。【解決手段】ロール状の巻付方向に付勢力を保持した板バネの外周を、片面に複数の通気口のある被覆体で被覆し、二面の通気性のある素材を使用したシートを接着し、頭髪を挟み込み簡単にロール状に巻込む、カールの大きさは板バネのロール状態を調節し、クリップで留める事により調節することが出来る。【選択図】図４
2007319517.tif 000002
【特許請求の範囲】
【請求項１】
ロール状の巻付方向に付勢力を保持した板バネに、二面の通気性のある素材を使用したシートを接着し、頭髪を挟み込み保持して成るものである事を特徴とするヘアカーラー。
【請求項２】
前記巻付方向に付勢力を保持した板バネに、複数の通気口のある被覆体で被覆したものである事を特徴とする請求項１のヘアカーラー。              
【請求項３】
前記二面の通気性のある素材とは面ファスナー等の起毛を形成したものである事を特徴とする請求項１又は２のヘアカーラー。                              
【請求項４】
カールの大きさは板バネのロール状態を指等で調節し、専用クリップで留める事により調節することが出来る事を特徴とする請求項１から3のいずれかに記載のヘアカーラー。
【発明の詳細な説明】
【技術分野】
【０００１】
本発明は、頭髪に、カール、ウェーブ等を付けるためのヘアカーラーに係るものである。
【背景技術】
【０００２】
従来、頭髪にカール、ウェーブ等を付けるためには、ロール状のカーラーに頭髪を先端から巻付け、その後、ロール全体をヘアピン等で保持させて頭髪を固定し、一定時間放置して髪に癖を付けるタイプが一般的な方法であるが、板バネを使用し髪を巻き付ける手間を簡素化したものが提出されている。
【特許文献１】特開平８−２５２１１
【発明の開示】
【発明が解決しようとする課題】
【０００３】
この従来方法では、クリップ位置が固定である為、頭髪の長さや髪型によって扱いにくく一度に多くの頭髪を巻くことが難しい点である。                          
【０００４】
また、板バネのカールの大きさを自在に変更することができないという欠点を有していた。
【０００５】
本発明は、上述の如き課題を解決しようとするものであって、頭髪にカール、ウェーブ等を付ける場合に、簡易に頭髪の癖付けを行うことができるとともに、毛量や長さに関係なく使用者の思いどおりのヘアスタイルを、容易に仕上げることを可能にするものである。
【課題を解決するための手段】
【０００６】
本発明は上述の如き課題を解決するため、ロール状の巻付方向に付勢力を保持した板バネの外周を、片面に複数の通気口のある被覆体で被覆し、二面の通気性のある素材を使用したシートを接着し頭髪を挟み込み保持して成るものである。
【０００７】
また、二面の通気性のある素材とは面ファスナー等の起毛を形成したものであることが望ましい。
【０００８】
また、カールの大きさは板バネのロール状態を指で調節し、専用クリップで留めることにより調節することが出来る。
【発明の効果】
【０００９】
本発明のヘアカーラーは、二面の通気性のある素材を使用したシートに頭髪を挟み込み確実に巻くことができるという利点がある。
【００１０】
本発明のヘアカーラーは、ロール状の巻付方向に付勢力を保持した板バネの外周を、片面に複数の通気口のある被覆体で被覆し、二面の通気性のある素材を使用したシートを接着しているため、ドライヤー等の温風を取り込みやすく短時間でカール、ウェーブ等を付けられる利点がある。
【００１１】
本発明のヘアカーラーは板バネのロール状態を指で調節し、専用クリップで留める事により調節することができる利点がある。
【００１２】
本発明のヘアカーラーは二面の通気性のある素材を使用したシートに頭髪を挟み込むため、頭髪の長さや髪型に左右されることなく利用できる利点がある。
【発明を実施するための最良の形態】
【００１３】
本発明は上述の如く構成したものであるから、頭髪にカール、ウェーブ等の癖付けを行おうとする場合は、ロール状の巻付方向に付勢力を保持した板バネを巻き戻して平坦な形状とし、この板バネに接着した二面の通気性のある素材を使用したシートに頭髪を挟み込む。
【００１４】
この状態で板バネを内装した被覆体への、手指等による保持を先端方向から、ゆっくり解除すれば、被覆体は板バネの復元力でロール状に変形復元する。
【００１５】
このロール状の巻付変形にともなって、頭髪も同時に被覆体の外周に巻付けられ、従来のロール状のヘアカーラーを用いた場合と同様に、ロール状に頭髪が巻込まれる。そして、この巻付け状態を一定時間経過した後、クリップを取外し二面の通気性のある素材を使用したシートから頭髪を分離すれば、頭髪にはカール、ウェーブ等が形成されているものとなる。
【００１６】
また、頭髪は巻付け前に板バネを装着した被覆体に接着した二面の通気性のある素材を使用したシートに頭髪を挟み込むことにより固定するものである。そのため、頭髪の長さが一定では無くても確実に保持できる。
【００１７】
また、その板バネを装着した被覆体の巻込みは、被覆体から手指を解放するのみで、板バネのロール状の復元力によって頭髪と共に行われるものである。そのため、頭髪が被覆体の接触部分毎にその巻付強さを異なるものとしたりすることがなく、安定的な巻付けを可能とすることができる。
【００１８】
また、頭髪と被覆体との接触性を良好とするためには、被覆体に接着した二面の通気性のある素材を使用したシート表面に適宜の起毛を生じさせることが好ましいものである。
【００１９】
また、巻き付け後に指等でロール状態を調節し、専用クリップで留めることによりカール、ウェーブ等の大きさを自在に変更することができる。
【００２０】
以下本発明の一実施例を図面に於いて説明すれば、(１)は板バネで、ロール状の巻付方向に付勢力を保持するものであれば、特にその材質等は特定する必要はないが、形状記憶金属、バネ鋼、形状記憶樹脂板等を用いることが可能である。また、ステンレス材をベースとして、焼き入れにより強度調整したものを用いることができる。要するに、バネ材として繰り返し強度が安定しているものであれば良い。
【００２１】
板バネ(１)は、頭髪(２)の長さ等に応じて種々の長さに形成し、幅等についても対応する頭髪(２)の長さ、密度等に応じて数種類のものがあらかじめ準備されるのが好ましい。また、板バネ(１)の４隅は、安全のため円弧状に形成する。
【００２２】
また、図３に示す如く板バネ(１)の外周には被覆体(３)を被覆することにより、板バネ(１)が通常時は露出することのないように構成しているが、被覆体(３)に複数の通気口(８)をあけておく。
【００２３】
また、複数の通気口(８)はドライヤー等の温風を取り込みやすくする為のものであれば形状や大きさ等は特に特定する必要はない。
【００２４】
そして、この頭髪(２)を沿わせる側には、頭髪(２)と被覆体(３)との接触を密にし、板バネ(１)を装着した二面の通気性のある素材を利用したシート(４)の巻付けに於いて、頭髪(２)がなじみ良く沿うようにするため、面ファスナー等の起毛(５)を表面に突出している。この面ファスナー等の起毛(５)は必ずしも必要なものではないが、面ファスナー等の起毛(５)の存在により安定した髪の巻付けを可能とするものである。
【００２５】
また、クリップ(６)はカールの大きさを変更する時に使用するものであり、通常のカール、ウェーブの形成にはクリップ(６)を使用しなくても良い。
【００２６】
上述の如く構成したものに於いて、上記のヘアカーラー(７)を用いて頭髪(２)にウェーブ、カール等を施すためには、まず板バネ(１)を装着した二面の通気性のある素材を利用したシート(４)に頭髪(２)を挟み込み、図２のロール状の巻込み状態から図３及び図４に示す如く、平板状に引き伸ばした状態で頭髪(２)を二面の通気性のある素材を利用したシート(４)の表面に沿わせて配置させる。
【００２７】
この二面の通気性のある素材を利用したシート(４)には、前述の如く面ファスナー等の起毛(５)を施してあり、この起毛(５)に従って頭髪(２)は、安定よく二面の通気性のある素材を利用したシート(４)の中面に配置される。
【００２８】
次に、板バネ(１)を平板状に引き伸ばしている力を先端方向からゆっくりと緩めることにより、板バネ(１)は自身の付勢力によってロール状に巻付け復元し、頭髪(２)を被覆体(３)の表面に沿ってロール状に巻込むことができる。そして、カールの大きさを変更したい場合のみ指等でロール状の直径を調節し、クリップ(６)で挟み固定する。この状態で一定時間放置した後、クリップ(６)を取り除いて頭髪(２)を二面の通気性のある素材を利用したシート(４)から分離すれば、頭髪(２)にはカール、ウェーブ等の癖が付けられているものとなる。
【００２９】
上記の構成は、使用者の化粧等の目的に応じて任意に使い分けることができるもので、それぞれに対応した製品をあらかじめ準備しておくことにより、使用者はそれを自身の好みにより、任意に選択して使用することができるものである。
【図面の簡単な説明】
【００３０】
【図１】頭髪の巻き付け開始状態を示す斜視図である。
【図２】ヘアカーラーの側面図。
【図３】ヘアカーラーの引き伸ばし状態の斜視図。
【図４】二面の通気性のある素材を利用したシートの中面に頭髪を沿わせた状態を示す斜視図である。
【図５】二面の通気性のある素材を利用したシートの中面に頭髪を挟み込んだ状態を示す斜視図である。
【図６】被覆体とシートを接着した状態を示す斜視図である。
【図７】被覆体とシートを接着した状態を示す断面図である。
【図８】クリップ装着前の状態を示している。
【図９】クリップの斜視図である。
【図１０】クリップの断面図である。
【図１１】被覆体とシートに起毛を施した状態の斜視図である。
【符号の説明】
【００３１】
１  板バネ          
２  頭髪
３  被覆体
４  二面の通気性のある素材のシート
５  面ファスナー等の起毛
６  クリップ
７  ヘアカーラー
８  通気口
【図１】
2007319517.tif 000003
【図２】
2007319517.tif 000004
【図３】
2007319517.tif 000005
【図４】
2007319517.tif 000006
【図５】
2007319517.tif 000007
【図６】
2007319517.tif 000008
【図７】
2007319517.tif 000009
【図８】
2007319517.tif 000010
【図９】
2007319517.tif 000011
【図１０】
2007319517.tif 000012
【図１１】
2007319517.tif 000013